【手続補正書】
【提出日】令和2年9月15日(2020.9.15)
【手続補正１】
【補正対象書類名】明細書
【補正対象項目名】００３６
【補正方法】変更
【補正の内容】
【００３６】
基準サンプルが欠落しているか、又は利用可能ではない場合、デジタルビデオ圧縮においてフレーム内予測を改善する方法の様々な実施形態を説明したが、上記教示に鑑みて当業者により方法の変更及び変形を行うことができることに留意する。したがって、開示される本発明の特定の実施形態に変更を行うことが可能であり、変更が本発明の範囲内であることを理解されたい。上記は本発明の様々な実施形態に関するが、本発明の基本範囲から逸脱せずに、本発明の他の更なる実施形態を考案し得る。
なお、上述の実施形態の一部又は全部は、以下の付記のように記載され得るが、以下には限定されない。
（付記１）
フレーム内予測の動作を含む、デジタルビデオ画像を圧縮する方法であって、前記デジタルビデオ画像はそれぞれ、１つ又は複数の予測ユニットを含み、前記フレーム内予測は、
特定の方向モードを所与として、１つ又は複数の基準サンプルが、予測ユニット又はその一部で利用可能ではないかどうか、又は欠落しているかどうかを判断することと、
１つ又は複数の基準サンプルが利用可能ではないか、又は欠落していると判断される場合、１つ又は複数の基準サンプルが前記予測ユニットの別の部分に沿って利用可能であるかどうかを判断することであって、前記予測ユニットの前記別の部分は、前記特定の方向モードの逆端部における前記予測ユニットの側に沿う、判断することと、
１つ又は複数の基準サンプルが前記特定の方向モードの前記逆端部において利用可能であると判断される場合、前記特定の方向モードを前記特定の方向モードの逆向きのカウンターパート方向モードで置換することと、
前記カウンターパート方向モードを使用して前記利用可能な基準サンプルで前記予測ユニットを埋めることと、
を含む、方法。
（付記２）
前記埋めることは、
前記利用可能な基準サンプルが全て、前記予測ユニットの１つの連続領域において前記カウンターパート方向モードを使用して伝播された場合、前記１つの連続領域で使用された最後の基準サンプルと略同一である基準サンプルで、前記１つの連続領域以外の前記予測ユニットの領域を埋めること
を更に含む、付記１に記載の方法。
（付記３）
前記埋めることは、
前記利用可能な基準サンプルが全て、前記予測ユニットの１つの連続領域において前記カウンターパート方向モードを使用して伝播された場合、前記カウンターパート方向モードの法線方向に沿って生じる前記基準サンプルの変化の関数として決定される、計算された基準サンプルで、前記１つの連続領域外の前記予測ユニットの領域を埋めること
を更に含む、付記１に記載の方法。
（付記４）
前記埋めることは、
前記利用可能な基準サンプルが全て、前記予測ユニットの１つの連続領域において前記カウンターパート方向モードを使用して伝播された場合、前記１つの連続領域を埋めるのに使用された前記利用可能な基準サンプルの平均として値が計算される同じ基準サンプルで、前記１つの連続領域以外の前記予測ユニットの領域を埋めること
を更に含む、付記１に記載の方法。
（付記５）
前記埋めることは、
前記利用可能な基準サンプルが全て、前記予測ユニットの１つの連続領域において前記カウンターパート方向モードを使用して伝播された場合、前記デジタルビデオ画像と共にデータとして値が送信される同じ基準サンプルで、前記１つの連続領域以外の前記予測ユニットの領域を埋めること
を更に含む、付記１に記載の方法。
（付記６）
デジタルビデオ画像を圧縮する装置であって、前記デジタルビデオ画像はそれぞれ、１つ又は複数の予測ユニットを含み、前記装置は、
複数の命令を記憶するメモリと、
前記メモリに結合され、フレーム内予測の動作を含む前記ビデオ画像圧縮を実行するように構成されるプロセッサと、
を含み、前記プロセッサは、
特定の方向モードを所与として、１つ又は複数の基準サンプルが、予測ユニット又はその一部で利用可能ではないかどうか、又は欠落しているかどうかを判断することと、
１つ又は複数の基準サンプルが利用可能ではないか、又は欠落していると判断される場合、１つ又は複数の基準サンプルが前記予測ユニットの別の部分に沿って利用可能であるかどうかを判断することであって、前記予測ユニットの前記別の部分は、前記特定の方向モードの逆端部における前記予測ユニットの側に沿う、判断することと、
１つ又は複数の基準サンプルが前記特定の方向モードの前記逆端部において利用可能であると判断される場合、前記特定の方向モードを前記特定の方向モードの逆向きのカウンターパート方向モードで置換することと、
前記カウンターパート方向モードを使用して前記利用可能な基準サンプルで前記予測ユニットを埋めることと、
を行うことにより、前記フレーム内予測を実行するように構成される、装置。
（付記７）
前記埋めることは、
前記利用可能な基準サンプルが全て、前記予測ユニットの１つの連続領域において前記カウンターパート方向モードを使用して伝播された場合、前記１つの連続領域で使用された最後の基準サンプルと略同一である基準サンプルで、前記１つの連続領域以外の前記予測ユニットの領域を埋めること
を更に含む、付記６に記載の装置。
（付記８）
前記埋めることは、
前記利用可能な基準サンプルが全て、前記予測ユニットの１つの連続領域において前記カウンターパート方向モードを使用して伝播された場合、前記カウンターパート方向モードの法線方向に沿って生じる前記基準サンプルの変化の関数として決定される、計算された基準サンプルで、前記１つの連続領域外の前記予測ユニットの領域を埋めること
を更に含む、付記６に記載の装置。
（付記９）
前記埋めることは、
前記利用可能な基準サンプルが全て、前記予測ユニットの１つの連続領域において前記カウンターパート方向モードを使用して伝播された場合、前記１つの連続領域を埋めるのに使用された前記利用可能な基準サンプルの平均として値が計算される同じ基準サンプルで、前記１つの連続領域以外の前記予測ユニットの領域を埋めること
を更に含む、付記６に記載の装置。
（付記１０）
前記埋めることは、
前記利用可能な基準サンプルが全て、前記予測ユニットの１つの連続領域において前記カウンターパート方向モードを使用して伝播された場合、前記デジタルビデオ画像と共にデータとして値が送信される同じ基準サンプルで、前記１つの連続領域以外の前記予測ユニットの領域を埋めること
を更に含む、付記６に記載の装置。
（付記１１）
１つ又は複数の実行可能な命令が記憶された非一時的コンピュータ可読媒体であって、前記実行可能な命令は、プロセッサによって実行されると、前記プロセッサに、フレーム内予測の動作を含む、デジタルビデオ画像を圧縮する方法を実行させ、前記デジタルビデオ画像はそれぞれ、１つ又は複数の予測ユニットを含み、前記フレーム内予測は、
特定の方向モードを所与として、１つ又は複数の基準サンプルが、予測ユニット又はその一部で利用可能ではないかどうか、又は欠落しているかどうかを判断することと、
１つ又は複数の基準サンプルが利用可能ではないか、又は欠落していると判断される場合、１つ又は複数の基準サンプルが前記予測ユニットの別の部分に沿って利用可能であるかどうかを判断することであって、前記予測ユニットの前記別の部分は、前記特定の方向モードの逆端部における前記予測ユニットの側に沿う、判断することと、
１つ又は複数の基準サンプルが前記特定の方向モードの前記逆端部において利用可能であると判断される場合、前記特定の方向モードを前記特定の方向モードの逆向きのカウンターパート方向モードで置換することと、
前記カウンターパート方向モードを使用して前記利用可能な基準サンプルで前記予測ユニットを埋めることと、
を含む、非一時的コンピュータ可読媒体。
（付記１２）
ビデオ画像ブロックを送信する装置であって、
メモリと、
フレーム内予測の動作を含む、デジタルビデオ画像を圧縮する方法を実行するように構成されるプロセッサであって、前記デジタルビデオ画像はそれぞれ、１つ又は複数の予測ユニットを含む、プロセッサと、
を含み、前記フレーム内予測は、
特定の方向モードを所与として、１つ又は複数の基準サンプルが、予測ユニット又はその一部で利用可能ではないかどうか、又は欠落しているかどうかを判断することと、
１つ又は複数の基準サンプルが利用可能ではないか、又は欠落していると判断される場合、１つ又は複数の基準サンプルが前記予測ユニットの別の部分に沿って利用可能であるかどうかを判断することであって、前記予測ユニットの前記別の部分は、前記特定の方向モードの逆端部における前記予測ユニットの側に沿う、判断することと、
１つ又は複数の基準サンプルが前記特定の方向モードの前記逆端部において利用可能であると判断される場合、前記特定の方向モードを前記特定の方向モードの逆向きのカウンターパート方向モードで置換することと、
前記カウンターパート方向モードを使用して前記利用可能な基準サンプルで前記予測ユニットを埋めることと、
を含む、装置。